(57)【特許請求の範囲】
【請求項１】
印刷を行う印刷装置と接続可能であり、文字又は画像からなるコンテンツを表示する表示手段を備えた表示端末であって、
コンテンツを取得するコンテンツ取得手段と、
前記コンテンツ取得手段によって取得されたコンテンツを記憶するコンテンツ記憶手段と、
前記コンテンツ記憶手段に記憶されたコンテンツを原本としての表示形態で前記表示手段に表示させる原本表示制御手段と、
前記コンテンツ記憶手段に記憶されたコンテンツの印刷指示を受け付ける印刷指示受付手段と、
前記印刷指示受付手段によって印刷指示が受け付けられたコンテンツの印刷データを前記印刷装置に送信する印刷データ送信手段と、
前記コンテンツ記憶手段にコンテンツを記憶したまま、前記印刷装置により印刷されたコンテンツの前記原本表示制御手段による原本としての表示を禁止する原本表示禁止手段と、
前記原本表示禁止手段によって原本としての表示が禁止されているコンテンツを、原本としての表示とは異なる表示形態で前記表示手段に表示させる非原本表示制御手段とを備えたことを特徴とする表示端末。
【請求項２】
前記印刷データ送信手段によって送信されたコンテンツの印刷データの印刷が終了したことを通知する印刷終了通知を前記印刷装置から受信する印刷終了通知受信手段を備え、
前記原本表示禁止手段は、前記印刷終了通知受信手段によって印刷終了通知が受信されることを契機として、前記コンテンツが原本として表示されることを禁止することを特徴とする請求項１に記載の表示端末。
【請求項３】
印刷媒体に割り振られた識別子を読み取る識別子読取手段を備えた読取装置を接続する接続手段と、
コンテンツが印刷される印刷媒体に付与する識別子を前記印刷装置に送信する識別子送信手段と、
前記識別子送信手段によって送信された識別子と前記識別子が付与された印刷媒体に印刷されたコンテンツとの対応を記憶する対応記憶手段と、
前記識別子読取手段によって読み取られた識別子を前記読取装置から取得する識別子取得手段と、
前記識別子取得手段によって取得された識別子に対応するコンテンツの、前記原本表示禁止手段による原本としての表示禁止を解除する解除手段とを備えたことを特徴とする請求項１又は２に記載の表示端末。
【請求項４】
印刷媒体に割り振られた識別子を読み取る識別子読取手段を備えた読取装置を接続する接続手段と、
前記印刷装置によってコンテンツが印刷された印刷媒体に付与されている識別子を前記印刷装置から受信する印刷時識別子受信手段と、
前記印刷時識別子受信手段によって受信した識別子と前記識別子が付与されている印刷媒体に印刷されたコンテンツとの対応を記憶する対応記憶手段と、
前記識別子読取手段によって読み取られた識別子を前記読取装置から取得する識別子取得手段と、
前記識別子取得手段によって取得された識別子に対応したコンテンツの、前記原本表示禁止手段による原本としての表示禁止を解除する解除手段とを備えたことを特徴とする請求項１乃至３のいずれかに記載の表示端末。
【請求項５】
前記識別子受信手段によって取得された識別子を有する印刷媒体に、原本としての使用を不可能とするための無効化処理を実行する指示を前記読取装置に送信する無効化指示送信手段を備えたことを特徴とする請求項３又は４に記載の表示端末。
【請求項６】
前記解除手段は、前記無効化指示送信手段によって無効化処理を実行する指示が送信されたことを契機として、前記原本表示禁止手段によるコンテンツの原本としての表示禁止を解除することを特徴とする請求項５に記載の表示端末。
【請求項７】
印刷を行う印刷装置と接続可能であり、文字又は画像からなるコンテンツを表示する表示手段を備えた表示端末で実行される情報管理プログラムであって、
コンテンツを取得するコンテンツ取得ステップと、
前記コンテンツ取得ステップにおいて取得されたコンテンツをコンテンツ記憶手段に記憶させるコンテンツ記憶ステップと、
前記コンテンツ記憶手段に記憶されたコンテンツを原本としての表示形態で前記表示手段に表示させる原本表示制御ステップと、
前記コンテンツ記憶手段に記憶されたコンテンツの印刷指示を受け付ける印刷指示受付ステップと、
前記印刷指示受付ステップにおいて印刷指示が受け付けられたコンテンツの印刷データを前記印刷装置に送信する印刷データ送信ステップと、
前記コンテンツ記憶手段にコンテンツを記憶したまま、前記印刷装置により印刷されたコンテンツの前記原本表示制御ステップにおける原本としての表示を禁止する原本表示禁止ステップと、
前記原本表示禁止ステップにおいて原本としての表示が禁止されているコンテンツを、原本としての表示とは異なる表示形態で前記表示手段に表示させる非原本表示制御ステップと
を前記表示端末のコントローラに実行させる指示を含む情報管理プログラム。
【請求項８】
請求項３乃至６のいずれかに記載の表示端末に接続可能な印刷装置であって、
前記表示端末から送信された印刷データを受信する印刷データ受信手段と、
前記印刷データ受信手段によって受信された印刷データに基づいてコンテンツを印刷媒体に印刷する印刷手段と、
印刷媒体に付与する識別子を前記表示端末から取得する識別子取得手段と、
前記印刷手段によってコンテンツの印刷が行われる場合に、前記識別子取得手段によって取得された識別子を印刷媒体に付与する取得コンテンツ付与手段とを備えたことを特徴とする印刷装置。
【請求項９】
請求項４乃至６のいずれかに記載の表示端末に接続可能な印刷装置であって、
前記表示端末から送信された印刷データを受信する印刷データ受信手段と、
前記印刷データ受信手段によって受信された印刷データに基づいてコンテンツを印刷媒体に印刷する印刷手段と、
前記印刷データ受信手段によって印刷データが受信されたコンテンツの印刷を行う場合に、前記印刷媒体にあらかじめ付されている識別子を読み取る印刷時識別子読取手段と、
前記印刷時識別子読取手段によって読み取られた識別子を前記表示端末に送信する第一印刷時識別子送信手段とを備えたことを特徴とする印刷装置。
【請求項１０】
請求項４乃至６のいずれかに記載の表示端末に接続可能な印刷装置であって、
前記表示端末から送信された印刷データを受信する印刷データ受信手段と、
前記印刷データ受信手段によって受信された印刷データに基づいてコンテンツを印刷媒体に印刷する印刷手段と、
コンテンツが印刷される前記印刷媒体に付与する識別子を決定する識別子決定手段と、
前記印刷手段によってコンテンツの印刷が行われる場合に、前記識別子決定手段によって決定された識別子を前記印刷媒体に付与する決定コンテンツ付与手段と、
前記決定コンテンツ付与手段によって前記印刷媒体に付与された識別子を前記表示端末に送信する第二印刷時識別子送信手段とを備えたことを特徴とする印刷装置。
【請求項１１】
請求項３乃至６のいずれかに記載の表示端末と接続される読取装置であって、
印刷媒体に割り振られた識別子を読み取る識別子読取手段と、
前記識別子読取手段によって読み取られた識別子を前記表示端末に送信する識別子送信手段と、
識別子を読み取った前記印刷媒体に、原本としての使用を不可能とするための無効化処理を行う無効化手段とを備えたことを特徴とする読取装置。
【請求項１２】
印刷媒体の無効化処理を実行する指示を前記表示端末から受信する無効化指示受信手段を備え、
前記無効化手段は、前記無効化指示受信手段によって無効化の指示が受信された場合に印刷媒体の無効化処理を行うことを特徴とする請求項１１に記載の読取装置。
【発明の詳細な説明】
【技術分野】
【０００１】
本発明は、印刷物及び電子データの一元管理が可能な表示端末、印刷装置、読取装置、及び表示端末で動作する情報管理プログラムに関するものである。
【背景技術】
【０００２】
従来、文字又は画像からなる情報を電子データ化し、表示端末によって表示させる情報表示システムが提案されている（例えば、特許文献１参照）。このシステムによると、特定の端末で作成された証明書の電子データが表示端末へ送信され、電子証明書が表示端末に表示されるため、証明書の発行者と受取者との間の書類のやり取りを省くことができる。
【特許文献１】特開２００３−２８８４２８号公報
【発明の開示】
【発明が解決しようとする課題】
【０００３】
しかしながら、特許文献１に記載の情報表示システムでは、一旦表示端末に送信された電子証明書等のコンテンツを印刷して使用することは想定されていない。従って、紙にコンテンツを印刷した場合、表示端末でもコンテンツが原本として表示可能な状態のまま残されていると、紙と表示端末との両方で原本が存在することとなる。このように原本が複製されることにより、コンテンツの発行者は、原本を発行する毎に徴収できるはずの料金を徴収できない等の不利益を被るという問題点があった。
【０００４】
本発明は上記課題を解決するためになされたものであり、一旦表示端末によって取得されたコンテンツが印刷された場合でも、表示端末と印刷物との間でコンテンツの原本を一元管理することができ、原本の複製に起因したコンテンツ発行者の不利益の発生を防止することができる表示端末、印刷装置、読取装置、及び表示端末で動作する情報管理プログラムを提供することを目的とする。
【課題を解決するための手段】
【０００５】
上記目的を達成するために、本発明の請求項１に記載の表示端末は、印刷を行う印刷装置と接続可能であり、文字又は画像からなるコンテンツを表示する表示手段を備えた表示端末であって、コンテンツを取得するコンテンツ取得手段と、前記コンテンツ取得手段によって取得されたコンテンツを記憶するコンテンツ記憶手段と、前記コンテンツ記憶手段に記憶されたコンテンツを原本としての表示形態で前記表示手段に表示させる原本表示制御手段と、前記コンテンツ記憶手段に記憶されたコンテンツの印刷指示を受け付ける印刷指示受付手段と、前記印刷指示受付手段によって印刷指示が受け付けられたコンテンツの印刷データを前記印刷装置に送信する印刷データ送信手段と、前記コンテンツ記憶手段にコンテンツを記憶したまま、前記印刷装置により印刷されたコンテンツの前記原本表示制御手段による原本としての表示を禁止する原本表示禁止手段と、前記原本表示禁止手段によって原本としての表示が禁止されているコンテンツを、原本としての表示とは異なる表示形態で前記表示手段に表示させる非原本表示制御手段とを備えている。
【０００６】
また、本発明の請求項２に記載の表示端末は、請求項１に記載の発明の構成に加え、前記印刷データ送信手段によって送信されたコンテンツの印刷データの印刷が終了したことを通知する印刷終了通知を前記印刷装置から受信する印刷終了通知受信手段を備え、前記原本表示禁止手段は、前記印刷終了通知受信手段によって印刷終了通知が受信されることを契機として、前記コンテンツが原本として表示されることを禁止することを特徴とする。
【００１０】
また、本発明の請求項３に記載の表示端末は、請求項１又は２に記載の発明の構成に加え、印刷媒体に割り振られた識別子を読み取る識別子読取手段を備えた読取装置を接続する接続手段と、コンテンツが印刷される印刷媒体に付与する識別子を前記印刷装置に送信する識別子送信手段と、前記識別子送信手段によって送信された識別子と前記識別子が付与された印刷媒体に印刷されたコンテンツとの対応を記憶する対応記憶手段と、前記識別子読取手段によって読み取られた識別子を前記読取装置から取得する識別子取得手段と、前記識別子取得手段によって取得された識別子に対応するコンテンツの、前記原本表示禁止手段による原本としての表示禁止を解除する解除手段とを備えている。
【００１１】
また、本発明の請求項４に記載の表示端末は、請求項１乃至３のいずれかに記載の発明の構成に加え、印刷媒体に割り振られた識別子を読み取る識別子読取手段を備えた読取装置を接続する接続手段と、前記印刷装置によってコンテンツが印刷された印刷媒体に付与されている識別子を前記印刷装置から受信する印刷時識別子受信手段と、前記印刷時識別子受信手段によって受信した識別子と前記識別子が付与されている印刷媒体に印刷されたコンテンツとの対応を記憶する対応記憶手段と、前記識別子読取手段によって読み取られた識別子を前記読取装置から取得する識別子取得手段と、前記識別子取得手段によって取得された識別子に対応したコンテンツの、前記原本表示禁止手段による原本としての表示禁止を解除する解除手段とを備えている。
【００１２】
また、本発明の請求項５に記載の表示端末は、請求項３又は４に記載の発明の構成に加え、前記識別子受信手段によって取得された識別子を有する印刷媒体に、原本としての使用を不可能とするための無効化処理を実行する指示を前記読取装置に送信する無効化指示送信手段を備えている。
【００１３】
また、本発明の請求項６に記載の表示端末は、請求項５に記載の発明の構成に加え、前記解除手段は、前記無効化指示送信手段によって無効化処理を実行する指示が送信されたことを契機として、前記原本表示禁止手段によるコンテンツの原本としての表示禁止を解除することを特徴とする。
【００１４】
また、本発明の請求項７に記載の情報管理プログラムは、印刷を行う印刷装置と接続可能であり、文字又は画像からなるコンテンツを表示する表示手段を備えた表示端末で実行される情報管理プログラムであって、コンテンツを取得するコンテンツ取得ステップと、前記コンテンツ取得ステップにおいて取得されたコンテンツをコンテンツ記憶手段に記憶させるコンテンツ記憶ステップと、前記コンテンツ記憶手段に記憶されたコンテンツを原本としての表示形態で前記表示手段に表示させる原本表示制御ステップと、前記コンテンツ記憶手段に記憶されたコンテンツの印刷指示を受け付ける印刷指示受付ステップと、前記印刷指示受付ステップにおいて印刷指示が受け付けられたコンテンツの印刷データを前記印刷装置に送信する印刷データ送信ステップと、前記コンテンツ記憶手段にコンテンツを記憶したまま、前記印刷装置により印刷されたコンテンツの前記原本表示制御ステップにおける原本としての表示を禁止する原本表示禁止ステップと、前記原本表示禁止ステップにおいて原本としての表示が禁止されているコンテンツを、原本としての表示とは異なる表示形態で前記表示手段に表示させる非原本表示制御ステップとを前記表示端末のコントローラに実行させる指示を含む。
【００１５】
また、本発明の請求項８に記載の印刷装置は、請求項３乃至６のいずれかに記載の表示端末に接続可能な印刷装置であって、前記表示端末から送信された印刷データを受信する印刷データ受信手段と、前記印刷データ受信手段によって受信された印刷データに基づいてコンテンツを印刷媒体に印刷する印刷手段と、印刷媒体に付与する識別子を前記表示端末から取得する識別子取得手段と、前記印刷手段によってコンテンツの印刷が行われる場合に、前記識別子取得手段によって取得された識別子を印刷媒体に付与する取得コンテンツ付与手段とを備えている。
【００１６】
また、本発明の請求項９に記載の印刷装置は、請求項４乃至６のいずれかに記載の表示端末に接続可能な印刷装置であって、前記表示端末から送信された印刷データを受信する印刷データ受信手段と、前記印刷データ受信手段によって受信された印刷データに基づいてコンテンツを印刷媒体に印刷する印刷手段と、前記印刷データ受信手段によって印刷データが受信されたコンテンツの印刷を行う場合に、前記印刷媒体にあらかじめ付されている識別子を読み取る印刷時識別子読取手段と、前記印刷時識別子読取手段によって読み取られた識別子を前記表示端末に送信する第一印刷時識別子送信手段とを備えている。
【００１７】
また、本発明の請求項１０に記載の印刷装置は、請求項４乃至６のいずれかに記載の表示端末に接続可能な印刷装置であって、前記表示端末から送信された印刷データを受信する印刷データ受信手段と、前記印刷データ受信手段によって受信された印刷データに基づいてコンテンツを印刷媒体に印刷する印刷手段と、コンテンツが印刷される前記印刷媒体に付与する識別子を決定する識別子決定手段と、前記印刷手段によってコンテンツの印刷が行われる場合に、前記識別子決定手段によって決定された識別子を前記印刷媒体に付与する決定コンテンツ付与手段と、前記決定コンテンツ付与手段によって前記印刷媒体に付与された識別子を前記表示端末に送信する第二印刷時識別子送信手段とを備えている。
【００１８】
また、本発明の請求項１１に記載の読取装置は、請求項３乃至６のいずれかに記載の表示端末と接続される読取装置であって、印刷媒体に割り振られた識別子を読み取る識別子読取手段と、前記識別子読取手段によって読み取られた識別子を前記表示端末に送信する識別子送信手段と、識別子を読み取った前記印刷媒体に、原本としての使用を不可能とするための無効化処理を行う無効化手段とを備えている。
【００１９】
また、本発明の請求項１２に記載の読取装置は、請求項１１に記載の発明の構成に加え、印刷媒体の無効化処理を実行する指示を前記表示端末から受信する無効化指示受信手段を備え、前記無効化手段は、前記無効化指示受信手段によって無効化の指示が受信された場合に印刷媒体の無効化処理を行うことを特徴とする。
【発明の効果】
【００２０】
本発明の請求項１に記載の表示端末によると、コンテンツの印刷が行われると、そのコンテンツの表示手段での原本としての表示を不可能にすることができる。これにより、表示手段での表示、及び印刷物の２つの形態で原本が同時に存在することを防止することができる。すなわち、表示手段と印刷物との間で原本を一元管理することができる。従って、表示手段に表示されていた原本が印刷物として複製されることを防ぐことができ、原本の複製に起因したコンテンツの発行者の不利益の発生を防止することができる。
また、表示端末は、コンテンツの印刷が行われた場合に、そのコンテンツの原本表示制御手段による原本としての表示を禁止することで、原本としての表示を不可能とすることができる。これにより、表示手段での表示、及び印刷物の２つの形態で原本が同時に存在することを防止することができる。
また、表示端末は、印刷が行われて原本としての表示が禁止されているコンテンツを、原本としての表示とは異なる表示形態で表示手段に表示させることができるため、ユーザは表示手段に表示されているコンテンツが原本でないことを認識することができる。
【００２１】
また、本発明の請求項２に記載の表示端末は、請求項１に記載の発明の効果に加え、印刷装置に送信したコンテンツの印刷データの印刷が終了したことを示す印刷終了通知の受信を契機として、そのコンテンツが原本として表示されることを禁止することができる。従って、印刷装置で印刷が行われないにも関わらず、表示端末でも原本としての表示が禁止される不具合を防止することができる。
【００２５】
また、本発明の請求項３に記載の表示端末は、請求項１又は２に記載の発明の効果に加え、コンテンツが印刷される印刷媒体に識別子を付与し、コンテンツと識別子との対応を記憶する。そして、読取装置によって識別子が読み取られると、識別子に対応付けられているコンテンツの原本としての表示禁止を解除することができる。すなわち、表示端末がコンテンツを再度取得しなくても、表示禁止を解除するだけで、印刷物から表示手段での表示に原本の形態を戻すことができる。さらに、原本であった印刷媒体の原本としての使用を禁止する無効化処理を、読取装置に実行させたり、原本を管理する管理者が実行したりすることで、表示手段と印刷物との間の原本の一元管理を行いつつ、ユーザの望む形態に原本の形態を移行させることができる。
【００２６】
また、本発明の請求項４に記載の表示端末は、請求項１乃至３のいずれかに記載の発明の効果に加え、コンテンツが印刷された印刷媒体にあらかじめ割り振られていた識別子を印刷装置から受信し、コンテンツと識別子との対応を記憶する。そして、識別子読取手段によって識別子が読み取られると、識別子に対応付けられているコンテンツの原本としての表示禁止を解除することができる。すなわち、表示端末がコンテンツを再度取得しなくても、表示禁止を解除するだけで、印刷物から表示手段での表示に原本の形態を戻すことができる。さらに、原本であった印刷媒体の原本としての使用を禁止する無効化処理を、読取装置に実行させたり、原本を管理する管理者が実行したりすることで、表示手段と印刷物との間の原本の一元管理を行いつつ、ユーザの望む形態に原本の形態を移行させることができる。
【００２７】
また、本発明の請求項５に記載の表示端末は、請求項３又は４に記載の発明の効果に加え、印刷媒体の識別子を読取装置から受信すると、その識別子に対応したコンテンツの原本としての表示禁止を解除し、印刷媒体の原本としての使用を不可能とするための無効化処理を読取装置に実行させることができる。これにより、原本を管理する管理者が印刷媒体の回収や廃棄等を行わなくても、印刷物から表示手段での表示に原本を戻すことができる。すなわち、表示手段と印刷物との間の原本の一元管理を行いつつ、ユーザの望む形態に原本の形態を移行させることができる。
【００２８】
また、本発明の請求項６に記載の表示端末は、請求項５に記載の発明の効果に加え、印刷媒体の原本としての使用を不可能とするための無効化指示が送信されることを契機として、表示手段におけるコンテンツの原本としての表示禁止を解除することができる。従って、印刷媒体の無効化指示が行われる前に、表示手段でのコンテンツの原本表示禁止が解除されることを防止することができる。よって、表示手段での表示、及び印刷物の２つの形態で原本が同時に存在することをより確実に防止することができる。
【００２９】
また、本発明の請求項７に記載の情報管理プログラムは、コンピュータに実行させることにより、請求項１に記載の発明の効果を奏することができる。
【００３０】
また、本発明の請求項８に記載の印刷装置によると、コンテンツの印刷データを表示端末から受信すると共に、印刷媒体に付与する識別子を取得し、コンテンツが印刷される印刷媒体に識別子を付与することができる。従って、表示端末に記憶されているコンテンツと、印刷媒体に印刷されたコンテンツとを識別子によって対応付けてコンテンツの一元管理を行うことができる。
【００３１】
また、本発明の請求項９に記載の印刷装置によると、コンテンツの印刷が行われる場合に、印刷媒体にあらかじめ割り振られている識別子を読み取って表示端末に送信することができる。よって、識別子があらかじめ割り振られている印刷媒体を用いることで、表示端末に記憶されているコンテンツと、印刷媒体に印刷されたコンテンツとを識別子によって対応付けてコンテンツの一元管理を行うことができる。
【００３２】
また、本発明の請求項１０に記載の印刷装置によると、印刷媒体に付与する識別子を決定して、コンテンツが印刷される印刷媒体に付与し、この識別子を表示端末に送信することができる。これにより、表示端末に記憶されているコンテンツと、印刷媒体に印刷されたコンテンツとを識別子によって対応付けてコンテンツの一元管理を行うことができる。
【００３３】
また、本発明の請求項１１に記載の読取装置によると、印刷媒体に割り振られた識別子を読み取って表示端末に送信し、また、識別子を読み取った印刷媒体を無効化することができる。従って、印刷媒体が原本であるか否かを識別子によって判断することが可能となる。さらに、原本を管理する管理者が印刷物の回収や廃棄等を行わなくても印刷媒体を無効化することができ、原本の形態を印刷物から表示手段での表示に戻すことができる。
【００３４】
また、本発明の請求項１２に記載の読取装置は、請求項１１に記載の発明の効果に加え、印刷媒体の原本としての使用を不可能とする無効化の指示を表示端末から受信した場合に、印刷媒体の無効化処理を行うことができる。従って、表示端末においてコンテンツの原本としての表示禁止が解除されずに、原本であった印刷媒体も無効化されてしまう不具合の発生を防止することができる。
【発明を実施するための最良の形態】
【００３５】
以下、本発明の実施形態について、図面を参照して説明する。まず、図１を参照して、本実施の形態のコンテンツ管理システム１００の概略について説明する。図１は、本実施形態のコンテンツ管理システム１００のハードウェアブロック図である。図１に示すように、コンテンツ管理システム１００は、表示端末１と、複合機２とから構成されている。
【００３６】
表示端末１は表示部１５を備えた携帯型の端末であり、文字や画像からなるコンテンツを電子データとして記憶する。そして、記憶しているコンテンツを表示部１５に表示させる。また、表示端末１は複合機２に接続可能となっており、記憶しているコンテンツの印刷データを出力して複合機２に印刷させることができる。ここで、本実施形態の表示端末１は、住民票のような公式文書やチケット等、複製を防止して原本性を保つことが必要なコンテンツを記憶し、表示部１５に原本として表示させることができる。従って、ユーザは、表示端末１にこれらのコンテンツを記憶させて持ち運び、表示部１５にコンテンツを表示させて提示することで、表示させたコンテンツを公式文書やチケットとして使用することができる。尚、表示端末１から他の機器へ電子データを複製することはできない構成となっている。さらに、詳細は後述するが、コンテンツの原本が表示端末１での表示でなく、印刷物となっている間は、ユーザはそのコンテンツを印刷させることはできない。これにより、コンテンツが複製されることを防止している。
【００３７】
複合機２は、表示端末１から印刷データを受信して印刷を実行する印刷装置としての機能と、印刷媒体である専用紙に設けられた磁気ストライプ（図示外）からコンテンツのＩＤを読み取る読取装置としての機能とを主に備えている。そして、原本性を保つことが必要なコンテンツを、コピーを取ることが不可能な専用紙に印刷すると共に、専用紙に設けられた磁気ストライプにコンテンツのＩＤを書き込むことができる。また、専用紙に設けられた磁気ストライプからコンテンツのＩＤを読み取り、このＩＤを表示端末１に送信することができる。尚、本実施形態では、複合機２での印刷に必要なデータは表示端末１で作成されて複合機２へ送信される。しかし、表示端末１からはコンテンツの電子データと印刷指示とを印刷データとして送信し、印刷に必要なデータへの展開を複合機２側で行ってもよい。
【００３８】
そして、以下説明する実施形態では、コンテンツの電子データの複製、及びコンテンツが印刷された印刷媒体のコピーによる複製を共に防止しつつ、表示端末１で原本として表示されていたコンテンツを印刷して、表示端末１でのコンテンツの原本表示を禁止することができる。また、原本であった印刷媒体の原本としての使用を不可能とし、表示端末１でのコンテンツの原本表示禁止を解除することもできる。すなわち、表示端末１での表示と印刷物との間で原本の形態を変更することができる。これにより、コンテンツを公式文書やチケットとして取り扱うユーザやコンテンツ発行者の利便性を高めつつ、コンテンツが複製されることによるコンテンツの発行者の不利益を防止することができる。
【００３９】
次に、図１及び図２を参照して、表示端末１のハードウェア構成について説明する。図２は、メモリカード１９のコンテンツデータ記憶エリア１９１に記憶されるコンテンツデータの構成を示す模式図である。
【００４０】
図１に示すように、表示端末１には、表示端末１の制御を司るＣＰＵ１０が設けられている。そして、このＣＰＵ１０には、ＲＯＭ１１、ＲＡＭ１２、ＥＥＰＲＯＭ１３、入力部１４、表示部１５、メモリカードＩ／Ｆ１６、及び外部通信Ｉ／Ｆ１８がバスを介して接続されている。ＲＯＭ１１は、表示端末１を動作させるためのプログラム等を記憶しており、ＲＡＭ１２は各種のデータを一時的に記憶し、ＥＥＰＲＯＭ１３は不揮発性のメモリである。また、入力部１４はユーザによる入力を受け付けるボタンや十字キーからなり、表示部１５はコンテンツを表示する。また、メモリカードＩ／Ｆ１６によって表示端末１にメモリカード１９が接続され、外部通信Ｉ／Ｆ１８によって表示端末１が複合機２等の他のデバイスに接続される。
【００４１】
そして、ＥＥＰＲＯＭ１３には、その表示端末１と他の表示端末とを識別するための、端末毎に固有の番号を記憶する端末固有番号記憶エリア１３１が設けられている。また、メモリカード１９にはコンテンツデータ記憶エリア１９１が設けられている。
【００４２】
図２に示すように、コンテンツデータ記憶エリア１９１には、文字や画像、映像、又はこれらを組み合わせた情報であるコンテンツの内容と、コンテンツに関する付属の情報とからなるコンテンツデータが記憶されている。コンテンツに関する付属の情報には、コンテンツ名、ＩＤ、及び原本表示情報が含まれている。コンテンツ名は各コンテンツに付された名称である。ＩＤは、各コンテンツに固有の情報であり、原本の形態を印刷物から表示端末１での表示に変更する際に、原本の形態を変更すべきコンテンツを特定するために用いられる。また、原本表示情報は、そのコンテンツの表示部１５での原本としての表示が禁止されているか否かを示す情報である。この原本表示情報として「禁止中」が記憶されている場合には、その時点でのコンテンツの原本は印刷物であり、表示部１５での原本としての表示と、コンテンツの更なる印刷とが禁止される。原本表示情報として「可」が記憶されている場合には、その時点でのコンテンツの原本は表示端末１での表示であり、コンテンツの原本としての表示、及び原本形態の印刷物への変更が可能となる。このように、コンテンツの内容、ＩＤ、及び原本表示情報が同一のメモリカード１９に記憶されるため、メモリカード１９がいずれの表示端末に接続されても、同じ処理を行うことができる。尚、コンテンツデータはＥＥＰＲＯＭ１３等の他の記憶媒体に記憶されてもよい。
【００４３】
次に、図１を参照して、複合機２のハードウェア構成について説明する。図１に示すように、複合機２には、複合機２の制御を司るＣＰＵ２０が設けられている。そして、このＣＰＵ２０には、ＲＯＭ２１、ＲＡＭ２２、ハードディスク装置（ＨＤＤ）２３、入力部２４、表示部２５、印刷制御部２６、磁気リードライト部２７、及び外部通信Ｉ／Ｆ２８がバスを介して接続されている。ＲＯＭ２１は、複合機２を動作させるためのプログラム等を記憶しており、ＲＡＭ２２は各種のデータを一時的に記憶し、ＨＤＤ２３は各種情報を記憶する。また、入力部２４はユーザによる入力を受け付けるボタンや十字キーからなり、表示部２５は画像を出力するディスプレイからなる。また、印刷制御部２６は印刷動作を制御し、磁気リードライト部２７は、専用紙に設けられた磁気ストライプへのＩＤの書き込みと、磁気ストライプに記憶されたＩＤの読み込みとを行う。そして、ＨＤＤ２３には、その複合機２と他の複合機とを識別するための、複合機毎に固有の番号を記憶する複合機固有番号記憶エリア２３１が設けられている。
【００４４】
次に、上記のように構成された第一の実施形態に係る表示端末１の動作について、図３乃至図５を参照して説明する。図３は、第一の実施形態の表示端末１で行われる表示端末メイン処理のフローチャートであり、図４は、表示端末メイン処理で実行される原本表示禁止処理のフローチャートであり、図５は、表示端末メイン処理で実行される原本表示禁止解除処理のフローチャートである。表示端末１では、電源が投入されるとＲＯＭ１１に記憶されているプログラムがＲＡＭ１２に読み出されて起動され、図３に示す表示端末メイン処理がＣＰＵ１０により実行される。
【００４５】
図３に示すように、表示端末メイン処理では、まずコンテンツを受信したか否かが判断される（Ｓ１）。本実施形態の表示端末１は、公式文書を発行する役所や、チケットを発行する発行元に設置された専用のデバイスに外部通信Ｉ／Ｆ１８（図１参照）を介して接続されることで、コンテンツを受信することができる。受信すると（Ｓ１：ＹＥＳ）、図２の「文書３」に示すように、コンテンツ名と、コンテンツ内容と、原本表示が可能であることを示す原本表示情報とがメモリカード１９のコンテンツデータ記憶エリア１９１に記憶される（Ｓ２）。そして、ユーザからの印刷指示が有るか否かの判断へ移行する（Ｓ３）。コンテンツを受信していない場合には（Ｓ１：ＮＯ）、そのままＳ３の判断へ移行する。次いで、入力部１４（図１参照）が操作されることによって、表示部１５に表示されているコンテンツの印刷指示が行われると（Ｓ３：ＹＥＳ）、原本表示禁止処理が行われる（Ｓ４）。
【００４６】
図４に示すように、原本表示禁止処理が開始されると、コンテンツデータ記憶エリア１９１（図２参照）の原本表示情報が参照され、コンテンツが原本表示禁止中であるか否かが判断される（Ｓ２１）。原本表示情報に「禁止中」が記憶されており、表示部１５での原本表示が禁止されている場合には（Ｓ２１：ＹＥＳ）、その時点での原本は印刷物であるため、さらに印刷が行われると原本が印刷物の形態で複数存在することとなる。そこで、「印刷はできません」という印刷不可能メッセージが表示部１５に表示されて（Ｓ２３）、印刷が行われずに表示端末メイン処理へ戻る。すなわち、原本が印刷物となっているコンテンツについて、さらなる印刷を禁止するＣＰＵ１０は、追加印刷禁止手段としての機能を有する。これにより、原本が印刷物と表示端末１での表示の２つの形態で存在することを防ぐことに加え、原本としての印刷物が複数存在することを防止している。
【００４７】
原本表示情報に「可」が記憶されており、原本表示禁止中でない場合には（Ｓ２１：ＮＯ）、表示端末１に複合機２が接続されているか否かが判断される（Ｓ２２）。接続されていなければ（Ｓ２２：ＮＯ）、印刷不可能メッセージが表示されて（Ｓ２３）、表示端末メイン処理へ戻る。
【００４８】
複合機２が接続されている場合には（Ｓ２２：ＹＥＳ）、専用紙に付すＩＤが決定される（Ｓ２４）。ここで、印刷が行われるコンテンツに対応したＩＤが既に存在する場合には、新たにＩＤを決定しなくてもよい。また、ＩＤの決定は、既に他のコンテンツに使用されているＩＤと重複しないように行われる。次いで、コンテンツに対応したＩＤが複合機２へ送信され（Ｓ２５）、さらにコンテンツの印刷データが複合機へ送信される（Ｓ２６）。そして、印刷が終了したことを示す印刷終了通知を複合機２から受信するまで待機状態となり（Ｓ２７：ＮＯ）、受信すると（Ｓ２７：ＹＥＳ）、専用紙に付されたＩＤとコンテンツとが対応付けされてコンテンツデータ記憶エリア１９１に記憶される（Ｓ２８）。次いで、印刷されたコンテンツの原本表示情報に「禁止中」が記憶されて（Ｓ２９）、表示端末メイン処理へ戻る。これにより、表示端末１での表示から印刷物への原本の表示形態の移行が完了する。
【００４９】
そして、図３のフローチャートの説明に戻り、原本表示禁止処理（Ｓ４）が終了した場合、又はコンテンツの印刷指示が行われていない場合には（Ｓ３：ＮＯ）、複合機２からＩＤを受信したか否かが判断される（Ｓ５）。印刷物となっている原本の形態を表示端末１での表示に戻す場合、詳細は後述するが、コンテンツが印刷されている専用紙に付されたＩＤが複合機２によって読み取られ、表示端末１に送信される。このＩＤを受信すると（Ｓ５：ＹＥＳ）、ＩＤに対応したコンテンツの原本表示禁止を解除するための原本表示禁止解除処理が行われる（Ｓ６）。
【００５０】
図５に示すように、原本表示禁止解除処理が開始されると、コンテンツデータ記憶エリア１９１が参照され、受信したＩＤによって記憶中のコンテンツが照合される（Ｓ３１）。そして、照合できると（Ｓ３２：ＹＥＳ）、印刷媒体の原本としての使用を不可能にするための印刷物無効化指示が複合機２へ送信され（Ｓ３３）、照合されたコンテンツの原本表示情報に「可」が記憶されて（Ｓ３４）、表示端末メイン処理へ戻る。これにより、印刷物から表示端末１での表示へ原本の表示形態が移行すると共に、コンテンツの印刷媒体への印刷が可能となる。すなわち、Ｓ３４の処理においてコンテンツの追加印刷禁止を解除するＣＰＵ１０は、追加印刷禁止解除手段としての機能を有する。また、照合できなかった場合には（Ｓ３２：ＮＯ）、無効化の指示は行われずに、印刷媒体をそのまま排出する指示が複合機２へ送信されて（Ｓ３５）、表示端末メイン処理へ戻る。
【００５１】
そして、図３のフローチャートの説明に戻り、原本表示禁止解除処理（Ｓ６）が終了した場合、又は複合機２からＩＤを受信していない場合には（Ｓ５：ＮＯ）、ユーザによるコンテンツの表示指示が行われたか否かが判断される（Ｓ７）。入力部１４が操作されることによってコンテンツが選択され、表示指示が行われると（Ｓ７：ＹＥＳ）、そのコンテンツが原本表示禁止中であるか否かが判断される（Ｓ８）。禁止中でなければ（Ｓ８：ＮＯ）、表示指示が行われたコンテンツが原本としての表示態様でそのまま表示部１５に表示されて（Ｓ９）、Ｓ１１の処理へ移行する。原本表示禁止中であれば（Ｓ８：ＹＥＳ）、原本としての表示とは異なる非原本表示の態様でコンテンツが表示部１５に表示されて（Ｓ１０）、Ｓ１１の処理へ移行する。尚、非原本表示の態様とは、表示部１５に表示されているコンテンツが原本でないことが分かる態様であればよい。具体的には、コンテンツ名のみを表示させてコンテンツの内容を表示させない方法や、「これは原本ではありません」というメッセージを同時に表示させる方法、画面全体をグレーにして表示させる方法等、様々な方法がある。
【００５２】
コンテンツの表示処理（Ｓ９、Ｓ１０）が終了した場合、又はコンテンツの表示指示が行われなかった場合には（Ｓ７：ＮＯ）、コンテンツの表示終了のための処理や表示端末１の設定の処理等、その他の処理が行われる（Ｓ１１）。そして、Ｓ１の判断へ戻る。
【００５３】
次に、第一の実施形態に係る複合機２の動作について、図６乃至図８を参照して説明する。図６は、第一の実施形態の複合機２で行われる複合機メイン処理のフローチャートであり、図７は、複合機メイン処理で実行される印刷処理のフローチャートであり、図８は、複合機メイン処理で実行されるＩＤ読み取り処理のフローチャートである。以下説明する複合機メイン処理は、複合機２のＲＯＭ２１に記憶されているプログラムにより、ＣＰＵ２０において実行される。
【００５４】
図６に示すように、複合機メイン処理では、まず表示端末１からコンテンツの印刷データ及びＩＤを受信したか否かが判断される（Ｓ４１）。受信した場合には（Ｓ４１：ＹＥＳ）、印刷処理が行われる（Ｓ４２）。
【００５５】
図７に示すように、印刷処理が開始されると、表示端末１から受信した印刷データが印刷媒体である専用紙に印刷される（Ｓ５１）。この専用紙には磁気ストライプが設けられており、ＩＤの読み書きを行うことが可能となっている。さらに、紙面には地紋が施されているため、コピーを取ることができない。これにより、原本である印刷媒体がコピーによって複製されることを防止しつつ、原本形態を変更する際にＩＤを用いてコンテンツを特定することを可能としている。
【００５６】
次いで、磁気リードライト部２７（図１参照）により、専用紙の磁気ストライプにＩＤが書き込まれて（Ｓ５２）、印刷及びＩＤの書き込みが終了するまで待機状態となる（Ｓ５３：ＮＯ）。そして、印刷及びＩＤの書き込みが終了すると（Ｓ５３：ＹＥＳ）、印刷が終了したことを示す印刷終了通知が表示端末１へ送信されて（Ｓ５４）、複合機メイン処理へ戻る。
【００５７】
そして、図６のフローチャートの説明に戻り、印刷処理（Ｓ４２）が終了した場合、又はコンテンツの印刷データ及びＩＤを受信していない場合には（Ｓ４１：ＮＯ）、専用紙に付されているＩＤの読み取り動作の実行指示がユーザによって行われたか否かが判断される（Ｓ４３）。ＩＤの読み取り指示があった場合には（Ｓ４３：ＹＥＳ）、ＩＤ読み取り処理が行われる（Ｓ４４）。
【００５８】
図８に示すように、ＩＤ読み取り処理が開始されると、専用紙の磁気ストライプに記憶されているＩＤが磁気リードライト部２７によって読み出される（Ｓ５６）。そして、ＩＤを読み取れた場合には（Ｓ５７：ＹＥＳ）、表示端末１が接続中であるか否かが判断され（Ｓ５８）、接続中であれば（Ｓ５８：ＹＥＳ）、読み取られたＩＤが表示端末１へ送信されて（Ｓ５９）、複合機メイン処理へ戻る。ここで、本実施形態の複合機２は、磁気ストライプの読み取りを行った専用紙を機器の内部に保持することができ、外部への排出を行うまでは専用紙は取り出せない構成となっている。そして、表示端末１にＩＤを送信した場合には、専用紙を内部に保持したままの状態となる。一方で、専用紙のＩＤが読み取れなかった場合（Ｓ５７：ＮＯ）、若しくは表示端末１が接続されていなかった場合には（Ｓ５８：ＮＯ）、表示部２５にエラーが表示されて（Ｓ６０）、印刷媒体である専用紙がそのまま外部へ排出され（Ｓ６１）、複合機メイン処理へ戻る。
【００５９】
そして、図６のフローチャートの説明に戻り、ＩＤ読み取り処理（Ｓ４４）が終了した場合、又はユーザからのＩＤ読み取り指示がなかった場合には（Ｓ４３：ＮＯ）、表示端末１から印刷媒体無効化指示を受信したか否かが判断される（Ｓ４５）。先述したように、印刷媒体無効化指示とは、印刷媒体の原本としての使用を不可能にする無効化処理を実行させるための指示である。受信した場合には（Ｓ４５：ＹＥＳ）、印刷媒体無効化処理が行われる（Ｓ４６）。この印刷媒体無効化処理では、印刷媒体の原本としての使用を不可能とすることができればよい。具体的には、紙面全体を黒く塗り潰す方法や、無効である旨のメッセージを印刷する方法、複合機２自体にシュレッダーの機能を設けて印刷媒体を裁断する方法、そのまま印刷媒体を回収して廃棄する方法等がある。本実施の形態では、印刷媒体無効化処理（Ｓ４６）にて紙面全体を黒く塗り潰す無効化処理が実行された後、その印刷媒体が外部に排出されて（Ｓ４８）、その他処理（Ｓ４９）へ移行する。また、印刷媒体無効化指示を受信することなく（Ｓ４５：ＮＯ）、印刷媒体排出指示を表示端末１から受信した場合には（Ｓ４７：ＹＥＳ）、無効化処理が行われずに印刷媒体の排出のみが行われて（Ｓ４８）、その他処理へ移行する。また、印刷媒体無効化指示及び印刷媒体排出指示のいずれも受信しなければ（Ｓ４５：ＮＯ、Ｓ４７：ＮＯ）、そのままその他処理へ移行する。そして、その他処理（Ｓ４９）が終了すると、Ｓ４１の判断へ戻る。
【００６０】
以上説明したように、第一の実施形態のコンテンツ管理システム１００によると、表示端末１で原本として表示されていたコンテンツを複合機２が印刷すると共に、表示端末１はそのコンテンツを原本として表示させることを禁止する。これにより、表示端末１での表示から印刷物へ原本の形態を変更することができる。また、印刷媒体に付されたＩＤが複合機２によって読み取られると、表示端末１ではそのＩＤに対応したコンテンツの原本表示禁止が解除され、複合機２では、ＩＤを読み取った印刷媒体の原本としての使用を不可能とする処理が行われる。これにより、印刷物から表示端末１での表示へ原本の形態を変更することができる。従って、表示端末１での表示、及び印刷物の２つの形式で原本が同時に存在することを防止し、表示端末１と印刷物との間でコンテンツの原本を一元管理することができる。
【００６１】
さらに、コンテンツの電子データは複製できない構成となっており、原本である印刷媒体のコピーを取ることもできないため、コンテンツの原本を複製することはできない。ここで、住民票等の公式文書を発行する役所は、公式文書の原本を１部発行する毎に料金を徴収することができるが、公式文書が複製されてしまうと、徴収できるはずの料金を徴収できない不利益を被る。また、チケットが複製されてしまうと、チケットの発行者が料金を徴収できないばかりでなく、正規にチケットを購入したユーザが定員オーバー等によりチケットを利用できなくなる場合も生じる。しかし、本発明によると、公式文書やチケット等のコンテンツを、表示端末１での表示、及び印刷物のいずれかの形態で所持することを可能にしつつ、コンテンツが複製されることによる種々の不利益の発生を防止することができる。
【００６２】
また、表示端末１は、印刷が行われたコンテンツをコンテンツデータ記憶エリア１９１から削除することなく、そのコンテンツの原本としての表示を禁止し、非原本としての表示態様でのみ表示可能とすることで、表示端末１での原本としての使用を不可能とする。従って、表示部１５に表示されているコンテンツが原本でないことを、ユーザは容易に認識することができる。さらに、印刷物から表示端末１での表示に原本の形態を変更する場合、コンテンツの電子データを再び表示端末１に取得させなくても、原本表示禁止を解除するだけで原本の形態を変更することができる。また、表示端末１は、コンテンツの印刷が終了したことが通知されてから原本としての表示を禁止するため、印刷が行われないにも関わらず、表示端末１でも原本としての表示が不可能となる不具合を防止することができる。また、原本表示禁止の解除は、印刷媒体の無効化指示が複合機２に送信されることを契機として行われるため、無効化指示が送信される前に原本表示禁止が解除されることはない。従って、表示端末１及び印刷物の２つの形態で原本が同時に存在することをより確実に防止することができる。
【００６３】
また、複合機２は、コンテンツの印刷時に、印刷媒体である専用紙にＩＤを付与することができるため、表示端末１に記憶されているコンテンツと印刷されたコンテンツとをＩＤによって対応付けてコンテンツを管理することができる。また、ＩＤの読み取り時には、ＩＤを読み取った印刷媒体の原本としての使用を禁止するための無効化処理を行うことができる。よって、原本を管理する管理者（例えば、公式文書を発行する公務員や、チケットを発行する発行会社の従業員等）が印刷媒体の回収や廃棄等を行わなくても印刷媒体を無効化することができ、原本の表示形態を表示手段での表示に変更することができる。また、複合機２は、表示端末１から無効化指示を受信してから無効化処理を行うため、表示端末１で原本表示禁止が解除されずに、原本であった印刷媒体も無効化されてしまう不具合の発生を防止することができる。
【００６４】
尚、上記第一の実施形態において、表示部１５が本発明の「表示手段」に相当し、図３のＳ２でコンテンツを取得する表示端末１のＣＰＵ１０が「コンテンツ取得手段」として機能する。また、メモリカード１９のコンテンツデータ記憶エリア１９１が「コンテンツ記憶手段」に相当し、図３のＳ９でコンテンツの原本表示処理を行う表示端末１のＣＰＵ１０が「原本表示制御手段」として機能する。また、入力部１４が「印刷指示受付手段」に相当し、図４のＳ２６で複合機２に印刷データを送信する表示端末１のＣＰＵ１０が「印刷データ送信手段」として機能する。また、図４のＳ２９でコンテンツの原本表示を禁止する表示端末１のＣＰＵ１０が「原本表示不可能化手段」及び「原本表示禁止手段」として機能する。
【００６５】
また、図４のＳ２７で印刷終了通知を受信する表示端末１のＣＰＵ１０が「印刷終了通知受信手段」として機能し、図３のＳ１０でコンテンツの非原本表示処理を行う表示端末１のＣＰＵ１０が「非原本表示制御手段」として機能する。また、複合機２と接続するために表示端末１に設けられた外部通信Ｉ／Ｆ１８が「接続手段」に相当し、ＩＤが「識別子」に相当し、図４のＳ２５でＩＤを複合機２へ送信する表示端末１のＣＰＵ１０が「識別子送信手段」として機能する。また、各コンテンツとＩＤとの対応を記憶するメモリカード１９のコンテンツデータ記憶エリア１９１が「対応記憶手段」に相当し、図３のＳ５でＩＤを受信する表示端末１のＣＰＵ１０が「識別子取得手段」として機能する。また、図５のＳ３４でコンテンツの原本表示禁止を解除する表示端末１のＣＰＵ１０が「解除手段」として機能する。また、図５のＳ３３で印刷媒体無効化指示を複合機２へ送信する表示端末１のＣＰＵ１０が「無効化指示送信手段」として機能する。
【００６６】
また、図６に示すＳ４１で印刷データ及びＩＤを受信する複合機２のＣＰＵ２０が「印刷データ受信手段」及び「識別子取得手段」として機能し、印刷を実行する印刷制御部２６が「印刷手段」に相当する。また、専用紙にＩＤの書き込みを行う磁気リードライト部２７が「取得コンテンツ付与手段」に相当する。
【００６７】
また、専用紙からＩＤを読み取る磁気リードライト部２７が「識別子読み取り手段」に相当し、図８のＳ５９でＩＤを表示端末１へ送信する複合機２のＣＰＵ２０が「識別子送信手段」として機能する。また、図６のＳ４６で印刷媒体無効化処理を行うＣＰＵ２０、及び印刷制御部２６が「無効化手段」に相当する。また、図６のＳ４５で印刷媒体無効化指示を受信する複合機２のＣＰＵ２０が「無効化指示受信手段」として機能する。
【００６８】
尚、上記第一の実施形態は様々な変形が可能である。まず、第一の実施形態では、コンテンツが印刷される専用紙に付与されるＩＤは表示端末１にて決定されていたが、これを変更することができる。以下、ＩＤを決定する主体が異なる場合の変形例について説明する。尚、第一の実施形態における処理と同じ処理については同一のステップ番号を付し、その説明を省略又は簡略化する。
【００６９】
まず、図４、図６、及び図９を参照して、専用紙に付与されるＩＤが複合機にて決定される変形例１のコンテンツ管理システムについて説明する。図９は、図７に示す印刷処理の変形例１のフローチャートである。変形例１における表示端末では、図４に示す原本表示禁止処理において、ＩＤを決定する処理（Ｓ２４）、及びＩＤを複合機へ送信する処理（Ｓ２５）は行われない。そして、専用紙に付与されたＩＤが印刷終了通知と共に受信され（Ｓ２７：ＹＥＳ）、印刷されたコンテンツに対応させてこのＩＤが記憶される（Ｓ２８）。また、変形例１における複合機では、図６に示す複合機メイン処理において印刷データを受信すると（Ｓ４１：ＹＥＳ）、図９に示す印刷処理において、印刷実行（Ｓ５１）の前にＩＤの決定が行われる（Ｓ６４）。そして、印刷データの印刷（Ｓ５１）、及び決定されたＩＤの書き込み（Ｓ５２）が終了すると（Ｓ５３：ＹＥＳ）、印刷終了通知が表示端末へ送信され（Ｓ５４）、さらに、専用紙に書き込まれたＩＤが表示端末へ送信される（Ｓ６５）。
【００７０】
以上のように、変形例１のコンテンツ管理システムによると、専用紙に付与するＩＤを複合機にて決定し、ＩＤを用いたコンテンツの管理を行うことが可能となる。尚、変形例１では、既に他のコンテンツに付与されているＩＤを複合機のＨＤＤ２３（図１参照）等に記憶し、Ｓ６４の処理において、既に使用されているＩＤが重複して決定されないように構成するのが望ましい。例えば、前回決定したＩＤを記憶しておき、前回のＩＤに「１」を加えた数字を次のＩＤとして決定するとよい。これにより、複数のコンテンツに対して同一のＩＤが付与されることを防ぐことができる。また、変形例１において、図９のＳ６４でＩＤを決定する複合機のＣＰＵ２０が「識別子決定手段」として機能し、Ｓ５２でＩＤを書き込む複合機のＣＰＵ２０が「決定コンテンツ付与手段」として機能する。また、Ｓ６５で表示端末にＩＤを送信する複合機２のＣＰＵ２０が「第二印刷時識別子送信手段」として機能する。
【００７１】
次に、図６、図１０、及び図１１を参照して、ＩＤがあらかじめ付された専用紙を使用する変形例２のコンテンツ管理システムについて説明する。図１０は、図４に示す原本禁止表示処理の変形例２のフローチャートであり、図１１は、図７に示す印刷処理の変形例２のフローチャートである。変形例２における表示端末では、図１０に示す原本表示禁止処理において、ＩＤの決定及び複合機へのＩＤの送信は行われない。そして、印刷データの送信（Ｓ２６）後、印刷終了通知と、あらかじめ専用紙に付されていたＩＤとが受信できなければ（Ｓ６７：ＮＯ）、コンテンツの原本表示は禁止されることなく、そのまま表示端末メイン処理へ戻る。また、変形例２における複合機では、図６に示す複合機メイン処理において印刷データを受信すると（Ｓ４１：ＹＥＳ）、図１１に示す印刷処理において、印刷データの印刷（Ｓ５１）と共に、専用紙の磁気ストライプにあらかじめ記憶されているＩＤが磁気リードライト部２７によって読み取られる（Ｓ６８）。そして、印刷及びＩＤの読み取りができた場合には（Ｓ６９：ＹＥＳ）、印刷終了通知が表示端末へ送信され（Ｓ５４）、さらに、専用紙から読み取られたＩＤが表示端末へ送信されて（Ｓ７０）、複合機メイン処理へ戻る。また、ＩＤが読み取れなかった場合には（Ｓ６９：ＮＯ）、印刷が行われた印刷媒体は、磁気ストライプを有する専用紙ではないため、そのまま複合機メイン処理へ戻る。
【００７２】
以上のように、変形例２のコンテンツ管理システムによると、あらかじめ専用紙に付されているＩＤを用いてコンテンツの管理を行うことが可能となる。尚、変形例２では、専用紙でない印刷媒体にコンテンツが印刷された場合、その印刷物は原本として使用できないため、表示端末での原本表示を禁止せずに、表示端末での表示をそのまま原本として使用することができる。また、変形例２において、図１０のＳ６７でＩＤを受信する表示端末のＣＰＵ１０が「印刷時識別子受信手段」として機能し、図１１のＳ６８でＩＤを読み取る複合機のＣＰＵ２０及び磁気リードライト部２７が「印刷時識別子読み取り手段」として機能する。また、図１１のＳ７０でＩＤを表示端末へ送信する複合機のＣＰＵ２０が「第一印刷時識別子送信手段」として機能する。
【００７３】
また、上記実施形態及び変形例をさらに変更することも可能である。例えば、上記実施形態では、印刷装置としての機能と読取装置としての機能とを備えた複合機２を使用しているが、表示端末１、印刷装置、及び読取装置の３つの機器を使用しても本発明を実現できる。この場合、印刷装置は図６に示すＳ４１，４２の処理を少なくとも実行できればよく、読取装置はＳ４３〜４８の処理を少なくとも実行できればよい。また、複合機２を複数個所に設置できることは言うまでも無く、原本の形態の変更を異なる場所で複数回行うことが可能である。
【００７４】
また、図２に示すコンテンツデータ記憶エリア１９１のデータ構成も変更することができる。例えば、原本の形態を表示端末１での表示から印刷物に変更する際に、複合機２のＨＤＤ２３における複合機固有番号記憶エリア２３１に記憶されている固有番号を、コンテンツデータ記憶エリア１９１に記憶させてもよい。また、原本の形態を印刷物から表示端末１での表示に変更する際に、固有番号を記憶させる構成としてもよい。これにより、原本の表示形態の変更を行った場所を、コンテンツデータ記憶エリア１９１の記憶内容から特定することができ、原本の表示形態の遷移をより正確に管理することができる。また、メモリカード１９が他の表示端末１に装着される毎に、ＥＥＰＲＯＭ１３の端末固有番号記憶エリア１３１に記憶されている固有番号を記憶させてもよい。これにより、コンテンツの表示端末間での移動経路を管理することが可能となる。また、コンテンツを表示端末１に送信したデバイスを記憶させてもよい。
【００７５】
また、図４に示すＳ２１では、印刷指示されたコンテンツが原本表示禁止中であれば、その時点での原本は印刷物であるため、原本の複製を防止するために印刷が行われないように設定されている。しかし、原本の複製を防止できればよいため、原本とは異なる態様で印刷を行うことは可能である。また、コンテンツに付与するＩＤは、コンテンツが作成される際に、コンテンツの作成者によって同時に決定されていてもよい。この場合、図３に示すＳ２の処理において、表示端末１はコンテンツの電子データと共にＩＤを取得し、メモリカード１９に記憶する。また、図４に示すＳ２４で行われるＩＤの決定は、ユーザに入力部１４を操作させることによって、ユーザに決定させる構成としてもよい。このように、コンテンツに付与するＩＤの決定方法は各種条件に応じて適宜変更することができる。
【００７６】
また、上記実施形態では、表示端末１に記憶されているコンテンツと、印刷物に印刷されたコンテンツとをＩＤによって対応付けて管理するために、磁気ストライプを有する専用紙を印刷媒体として用いているが、これも変更が可能である。例えば、ＲＦＩＤタグを備えた専用紙を印刷媒体として使用し、このＲＦＩＤタグへのＩＤの書き込みと、ＲＦＩＤタグからのＩＤの読み込みとを行うＲＦＩＤタグリーダライタを複合機に備えても、本発明を実現できる。また、バーコードやＱＲコード等を利用することもできる。さらに、印刷物に印刷されているコンテンツをスキャンし、スキャンされたデータ自体を表示端末１に記憶されているデータと比較することで、ＩＤを用いずにコンテンツを特定することも可能である。このように、表示端末１に記憶されているコンテンツと、印刷媒体に印刷されたコンテンツとを対応付けて管理する管理方法は、適宜変更することができる。
【００７７】
次に、本発明の第二の実施形態に係るコンテンツ管理システムの動作について、図１２及び図１３を参照して説明する。図１２は、第二の実施形態の表示端末で実行される表示端末メイン処理のフローチャートであり、図１３は、第二の実施形態の印刷装置で実行される印刷装置メイン処理のフローチャートである。第二の実施形態のコンテンツ管理システムは、表示端末及び印刷装置により構成されており、表示端末での表示から印刷物へ原本の形態を容易に変更できる点に特徴を有する。尚、第二の実施形態に係る表示端末のハードウェア構成は、第一の実施形態の表示端末１（図１参照）と同じである。また、第二の実施形態に係る印刷装置のハードウェア構成は、第一の実施形態の複合機２（図１参照）から磁気リードライト部２７が省かれたのみである。よって、第一の実施形態と同一の構成については同一の番号を付し、この説明を省略する。
【００７８】
まず、図１２を参照して、表示端末での処理について説明する。図１２に示すように、第二の実施形態の表示端末では、まず専用のデバイスからコンテンツを受信したか否かが判断され（Ｓ１０１）、受信した場合には（Ｓ１０１：ＹＥＳ）、受信したコンテンツがメモリカード１９のコンテンツデータ記憶エリア１９１（図２参照）に記憶される（Ｓ１０２）。ここで、第二の実施形態では、コンテンツデータ記憶エリア１９１にＩＤ及び原本表示情報が記憶される必要はない。コンテンツの取得が終了した場合、又はコンテンツを受信していない場合には（Ｓ１０１：ＮＯ）、表示部１５に表示されているコンテンツの印刷指示が行われたか否かが判断される（Ｓ１０３）。印刷指示が行われると（Ｓ１０３：ＹＥＳ）、表示端末に印刷装置が接続されているか否かが判断され（Ｓ１０４）、接続されていなければ（Ｓ１０４：ＮＯ）、印刷不可能メッセージが表示部１５に表示されて（Ｓ１０５）、Ｓ１１０の判断へ移行する。
【００７９】
印刷装置が接続されている場合には（Ｓ１０４：ＹＥＳ）、コンテンツの印刷データが印刷装置へ送信される（Ｓ１０６）。そして、印刷が終了したことを示す印刷終了通知を印刷装置から受信するまで待機状態となり（Ｓ１０７：ＮＯ）、受信すると（Ｓ１０７：ＹＥＳ）、印刷されたコンテンツがメモリカード１９から削除されて（Ｓ１０８）、Ｓ１１０の判断へ移行する。また、印刷指示が行われていなければ（Ｓ１０３：ＮＯ）、そのままＳ１１０の判断へ移行する。
【００８０】
そして、ユーザによるコンテンツの表示指示が行われたか否かが判断され（Ｓ１１０）表示指示が行われていなければ（Ｓ１１０：ＮＯ）、その他の処理が行われて（Ｓ１１２）、Ｓ１０１の判断へ戻る。また、コンテンツの表示指示が行われた場合には（Ｓ１１０：ＹＥＳ）、表示指示が行われたコンテンツが原本としての表示態様でそのまま表示部１５に表示されて（Ｓ１１１）、その他の処理が行われた後（Ｓ１１２）、Ｓ１０１の判断へ戻る。
【００８１】
次いで、図１３を参照して、印刷装置での処理について説明する。図１３に示すように、第二の実施形態の印刷装置では、まず表示端末からコンテンツの印刷データを受信したか否かが判断される（Ｓ１２１）。受信していなければ（Ｓ１２１：ＮＯ）、その他の処理が行われて（Ｓ１２５）、Ｓ１２１の判断へ戻る。印刷データを受信した場合には（Ｓ１２１：ＹＥＳ）、受信した印刷データの専用紙への印刷が行われる（Ｓ１２２）。この専用紙には地紋が施されており、コピーを取ると地紋として施されていた文字が浮き出るため、コピーを取ることができない。次いで、印刷が終了するまで待機状態となり（Ｓ１２３：ＮＯ）、印刷が終了すると（Ｓ１２３：ＹＥＳ）、印刷終了通知が表示端末へ送信されて（Ｓ１２４）、その他の処理が行われた後（Ｓ１２５）、Ｓ１２１の判断へ戻る。
【００８２】
以上説明したように、第二の実施形態のコンテンツ管理システムによると、表示端末で原本として表示されていたコンテンツを印刷装置が印刷すると共に、表示端末はそのコンテンツをメモリカード１９から削除し、表示端末において原本として使用されることを不可能とする。これにより、表示端末での表示、及び印刷物の２つの形態で原本が同時に存在することを防止すると共に、ＩＤの読み書きを行ったりすることなく、表示端末での表示から印刷物へ原本の形態を容易に変更することができる。すなわち、表示端末と印刷物との間で原本を一元管理し、表示手段に表示されていた原本が印刷物として複製されることを防ぐことができるため、原本の複製に起因した種々の不利益の発生を防止することができる。また、コンテンツの原本が印刷物に変更された場合には、そのコンテンツをメモリカードから削除することで、表示端末における原本としての使用を不可能にすると共に、メモリ容量の圧迫を軽減することができる。さらに、悪意のある操作によりコンテンツを読み取ろうとしても、コンテンツのデータ自体が存在しないため、読み取られる心配がない。
【００８３】
尚、第二の実施形態に用いられる専用紙は容易にコピーを取れないものであれば、地紋が施されていなくてもよい。例えば、コンテンツが公式文書である場合、役所のみが入手できる紙に印刷を行えば、その紙を入手できない限り、そのコンテンツを原本として複製することはできない。
【図面の簡単な説明】
【００８４】
【図１】本実施形態のコンテンツ管理システム１００のハードウェアブロック図である。
【図２】メモリカード１９のコンテンツデータ記憶エリア１９１に記憶されるコンテンツデータの構成を示す模式図である。
【図３】第一の実施形態の表示端末１で行われる表示端末メイン処理のフローチャートである。
【図４】表示端末メイン処理で実行される原本表示禁止処理のフローチャートである。
【図５】表示端末メイン処理で実行される原本表示禁止解除処理のフローチャートである。
【図６】第一の実施形態の複合機２で行われる複合機メイン処理のフローチャートである。
【図７】複合機メイン処理で実行される印刷処理のフローチャートである。
【図８】複合機メイン処理で実行されるＩＤ読み取り処理のフローチャートである。
【図９】図７に示す印刷処理の変形例１のフローチャートである。
【図１０】図４に示す原本禁止表示処理の変形例２のフローチャートである。
【図１１】図７に示す印刷処理の変形例２のフローチャートである。
【図１２】第二の実施形態の表示端末で実行される表示端末メイン処理のフローチャートである。
【図１３】第二の実施形態の印刷装置で実行される印刷装置メイン処理のフローチャートである。
【符号の説明】
【００８５】
１    表示端末
２    複合機
１０    ＣＰＵ
１２    ＲＡＭ
１４    入力部
１５    表示部
１８    外部通信Ｉ／Ｆ
１９    メモリカード
２０    ＣＰＵ
２６    印刷制御部
２７    磁気リードライト部
２８    外部通信Ｉ／Ｆ
１００    コンテンツ管理システム
１９１    コンテンツデータ記憶エリア
【図１】
0004946883.tif 000002
【図２】
0004946883.tif 000003
【図３】
0004946883.tif 000004
【図４】
0004946883.tif 000005
【図５】
0004946883.tif 000006
【図６】
0004946883.tif 000007
【図７】
0004946883.tif 000008
【図８】
0004946883.tif 000009
【図９】
0004946883.tif 000010
【図１０】
0004946883.tif 000011
【図１１】
0004946883.tif 000012
【図１２】
0004946883.tif 000013
【図１３】
0004946883.tif 000014